(57)【特許請求の範囲】
【請求項１】
金属ナノ構造体を含む第１塗布液を、基板上に塗布して透明電極部となるべき第１塗布膜領域を形成すると共に、前記第１塗布液と同じ材料を含む第２塗布液を、塗布して配線部となるべき第２塗布膜領域を形成する塗布工程と、
前記第１塗布膜領域及び前記第２塗布膜領域を乾燥することによって、前記配線部及び前記透明電極部を含む電極を得る乾燥工程と、
を備え、
前記塗布工程では、複数の区画を画成する配線部用パターンで前記基板上に前記第２塗布液を塗布することによって、前記配線部用パターンを有する前記第２塗布膜領域を形成すると共に、前記基板上において各前記区画に対応する領域に前記第１塗布液を塗布して、複数の前記第１塗布膜領域を形成し、
前記配線部の表面抵抗値が、前記透明電極部の表面抵抗値より小さくなるように、前記配線部及び前記透明電極部の厚さを制御する、
電極付き基板の製造方法。
【請求項２】
前記複数の区画のうち隣接する区画の中心を含む平面で前記第２塗布膜領域を切断した場合の断面において、前記第２塗布膜領域の幅は０．５ｍｍ以上であるように、前記第２塗布液を前記基板上に塗布する、
請求項１に記載の電極付き基板の製造方法。
【請求項３】
前記複数の区画のうち隣接する区画の中心を含む平面で前記第２塗布膜領域を切断した場合の断面において、隣接する前記第２塗布膜領域の距離が５ｍｍ以上であるように、前記第２塗布液を前記基板上に塗布する、
請求項１又は２に記載の電極付き基板の製造方法。
【請求項４】
前記配線部の表面抵抗値をＲ１とし、前記透明電極部の表面抵抗値をＲ２としたとき、（Ｒ１／Ｒ２）が０．５以下となるように、前記配線部及び前記透明電極部の厚さを制御する、
請求項１〜３の何れか一項に記載の電極付き基板の製造方法。
【請求項５】
前記第１塗布膜領域及び前記第２塗布膜領域の厚さと、前記乾燥工程での乾燥時間との少なくとも一方を制御することによって、前記配線部及び前記透明電極部の厚さを制御する、
請求項１〜４の何れか一項に記載の電極付き基板の製造方法。
【請求項６】
前記透明電極部の厚さは、５ｎｍ以上１０００ｎｍ以下であり、
前記配線部の厚さは、前記透明電極部の厚さの２倍以上であって２０００ｎｍ以下であるように、前記第１塗布膜領域及び前記第２塗布膜領域の厚さと、前記乾燥工程での乾燥時間との少なくとも一方を制御する、
請求項１〜５の何れか一項に記載の電極付き基板の製造方法。
【請求項７】
前記第１塗布液及び前記第２塗布液をインクジェット印刷法により前記基板上に塗布する、
請求項１〜６の何れか一項に記載に電極付き基板の製造方法。
【発明の詳細な説明】
【技術分野】
【０００１】
本発明は、電極付き基板、電極付き基板の製造方法及び有機ＥＬデバイスに関する。
【背景技術】
【０００２】
本技術分野の技術として特許文献１に記載されている配線付き基板がある。特許文献１に記載の配線付き基板では、基材上に、透明導電性部材が設けられ、透明導電性部材に、金属細線が接続されている。透明導電性部材は、光を透過する一方、金属細線は光を透過しないように構成されていることから、透明導電性部材が透明電極部として機能し、金属細線は、配線付き基板に設けられている配線部材からの電力を透明導電性部材に供給する配線部として機能している。特許文献１において、透明導電性部材及び金属細線の材料は異なっている。
【先行技術文献】
【特許文献】
【０００３】
【特許文献１】国際公開第２０１２／０５３５０号
【発明の概要】
【発明が解決しようとする課題】
【０００４】
特許文献１に開示されているように、透明電極部として機能する透明電性部材及び配線部として機能する金属細線の材料が異なっていると、それらの密着性が低減する、或いは、電蝕が生じ得る。透明電極部と金属細線とを含む電極に電力を供給した際、電極内で電力損失が大きくなる恐れがある。
【０００５】
そこで、本発明は、電極に電力を供給した際に電極内での損失を低減可能な電極付き基板、電極付き基板の製造方法、及び、有機ＥＬデバイスを提供することを目的とする。
【課題を解決するための手段】
【０００６】
本発明の一側面に係る電極付き基板は、基板と、基板上に設けられている電極とを備える。上記電極は、複数の区画を画成する所定パターンを有する配線部と、各区画内に配置されていると共に、金属ナノ構造体を含む透明電極部と、を有し、上記透明電極部と上記配線部は接続されており、上記透明電極部及び上記配線部の材料は同じである。
【０００７】
この場合、配線部が透明電極部に接続されているため、配線部を介して透明電極部に電力を供給できる。透明電極部と配線部とが同じ材料で構成されていることから、透明電極部と配線部との密着性が向上しているので、透明電極部と配線部との接続部において損失を低減し得る。また、透明電極部及び配線部の材料が同じであることから、配線部を介して透明電極部に電力を供給しても透明電極部と配線部と接続部において電蝕が生じにくい。よって、この観点でも透明電極部と配線部との接続部において損失を低減し得る。したがって、電極付き基板では、透明電極部及び配線部を有する電極に電力を供給しても、電極内での損失を低減し得る。
【０００８】
上記複数の区画のうち隣接する区画の中心を含む平面で上記電極を切断した場合の断面において、隣接する上記配線部の距離は５ｍｍ以上であり、上記配線部の幅は０．５ｍｍ以上であってもよい。
【０００９】
上記配線部の表面抵抗値は、上記透明電極部の表面抵抗値より小さくてもよい。これにより、配線部を介して透明電極部に電力損失を抑えながら電力を供給できる。
【００１０】
上記配線部の表面抵抗値をＲ１とし、上記透明電極部の表面抵抗値をＲ２としたとき、（Ｒ１／Ｒ２）が０．５以下であってもよい。この場合、電力損失をより一層抑えながら配線部を介して透明電極部に電力を供給できる。
【００１１】
上記透明電極部の厚さは、５ｎｍ以上１０００ｎｍ以下であり、上記配線部の厚さは、上記透明電極部の厚さの２倍以上であって２０００ｎｍ以下であってもよい。
【００１２】
透明電極部の厚さが５ｎｍ以上１０００ｎｍ以下であることにより、配線部と同じ材料で構成されていても、光が透明電極部を透過できる。一方、配線部の厚さが、上記透明電極部の厚さの２倍以上であることで、配線部の表面抵抗値を透明電極部の表面抵抗値の１／２以下にできている。よって、透明電極部における光透過性を確保しながら、電力損失をより一層抑えながら電力を配線部を介して透明電極部に供給できる。配線部が２０００ｎｍ以下であることで、例えば、インクジェット印刷法を利用して配線部及び透明電極部を、電極付き基板の生産性を確保しながら好適に形成できる。
【００１３】
金属ナノ構造体を含む第１塗布液を、複数の区画を画成する配線部用パターンで基板上に塗布して第１塗布膜領域を形成すると共に、上記第１塗布液と同じ材料を含む第２塗布液を、上記基板上において各上記区画に対応する領域に塗布して第２塗布膜領域を形成する塗布工程と、上記第１塗布膜領域及び上記第２塗布膜領域を乾燥することによって、上記配線部用パターンを有する配線部及び各上記区画内に配置される透明電極部を含む電極を得る乾燥工程と、を備える。
【００１４】
上記製造方法では、同じ材料からなる配線部と透明電極部を基板上に容易に形成できる。透明電極部は、配線部用パターンで画成される区画内に形成される第２塗布膜領域が乾燥したものであるため、配線部と透明電極部は接続されている。よって、配線部と透明電極部は一つの電極を構成している。そして、製造された電極付き基板では、透明電極部と配線部が同じ材料を有するので、それらの密着性が向上しており、また、透明電極部と配線部と接続部において電蝕が生じにくい。したがって、上記製造方法では、配線部と透明電極部とを有する電極に電力を供給しても、配線部と透明電極部の接続部において電力損失が生じにくい。
【００１５】
上記配線部用パターンは、上記複数の区画のうち隣接する区画の中心を含む平面で上記電極を切断した場合の断面において、隣接する上記配線部の距離が５ｍｍ以上であり、上記配線部の幅が０．５ｍｍ以上であるような、パターンであり得る。
【００１６】
上記配線部の表面抵抗値が、上記透明電極部の表面抵抗値より小さくなるように、上記配線部及び上記透明電極部の厚さを制御してもよい。
【００１７】
透明電極部及び配線部は同じ材料を含んでいることから、表面抵抗値の差は、厚さの差に依存する。よって、上記配線部及び上記透明電極部の厚さを制御することで、配線部の表面抵抗値が、上記透明電極部の表面抵抗値より小さい、電極付き基板を製造できる。
【００１８】
上記配線部の表面抵抗値をＲ１とし、上記透明電極部の表面抵抗値をＲ２としたとき、（Ｒ１／Ｒ２）が０．５以下となるように、上記配線部及び上記透明電極部の厚さを制御してもよい。
【００１９】
上記第１塗布膜領域及び上記第２塗布膜領域の厚さと、上記乾燥工程での乾燥時間との少なくとも一方を制御することによって、上記配線部及び上記透明電極部の厚さを制御してもよい。
【００２０】
上記透明電極部の厚さは、５ｎｍ以上１０００ｎｍ以下であり、上記配線部の厚さは、上記透明電極部の厚さの２倍以上であって２０００ｎｍ以下であるように、上記第１塗布膜領域及び上記第２塗布膜領域の厚さと、上記乾燥工程での乾燥時間との少なくとも一方を制御してもよい。
【００２１】
上記第１塗布液及び上記第２塗布液をインクジェット印刷法により上記基板上に塗布してもよい。インクジェット印刷法を利用することで、所望のパターンで第１塗布液及び上記第２塗布液を基板に塗布し易い。
【００２２】
有機ＥＬデバイスであって、本発明の一側面に係る電極付き基板と、上記電極付き基板が備える電極上に設けられる発光層と、上記発光層に対して上記電極と反対側に設けられる対向電極と、を備える。
【００２３】
上記有機ＥＬデバイスは、本発明に一側面に係る電極付き基板を備えている。そのため、基板上に設けられた電極に電力を供給しても電力の損失を低減できる。よって、電力を効率的に使用して有機ＥＬデバイスを発光させられる。
【発明の効果】
【００２４】
本発明によれば、電力を電極に供給した際に電極内での損失を低減可能な電極付き基板、電極付き基板の製造方法、及び、有機ＥＬデバイスを提供できる。
【図面の簡単な説明】
【００２５】
【図１】図１は、一実施形態に係る電極付き基板の平面図である。
【図２】図２は、図１のＩＩ―ＩＩ線に沿った断面の模式図である。
【図３】図３は、一実施形態に係る電極付き基板の製造方法における塗布工程の一例を説明するための図面である。
【図４】図４は、一実施形態に係る有機ＥＬデバイスの一例の概略構成を示す図面である。
【発明を実施するための形態】
【００２６】
以下、本発明の実施形態について図面を参照しながら説明する。同一の要素には同一符号を付する。重複する説明は省略する。図面の寸法比率は、説明のものと必ずしも一致していない。
【００２７】
本発明の一側面は電極付き基板に関し、他の側面は、電極付き基板の製造方法に関し、更に他の側面は、有機エレクトロルミネッセンス(有機ＥＬ)デバイスに関する。まず、第１の実施形態として電極付き基板及びその製造方法について説明し、第２の実施形態として有機ＥＬデバイスについて説明する。
【００２８】
（第１の実施形態）
図１は、第１の実施形態に係る電極付き基板の一例の平面図である。図２は、図１のＩＩ―ＩＩ線に沿った断面の模式図である。図１及び図２に示した電極付き基板１０は、基板１２と、電極Ｅ１とを備え、例えば、有機ＥＬデバイスに適用される。
【００２９】
基板１２は、可視光（波長４００ｎｍ〜８００ｎｍの光）に対して透光性(以下、「所定の透光性」とも称す)を有する板状の透明部材である。基板１２は透明電極部１４及び配線部１６を支持する支持体である。基板１２の厚さの例は、３０μｍ以上１１００μｍ以下である。基板１２は、例えばガラス基板及びシリコン基板などのリジッド基板であっても、プラスチック基板及び高分子フィルムなどの可撓性基板であってもよい。可撓性基板を用いることで、電極付き基板１０を使用した有機ＥＬデバイスが可撓性を有し得る。
【００３０】
電極付き基板１０が有機ＥＬデバイスに適用される場合には、基板１２には有機ＥＬデバイスが備える有機ＥＬ素子を駆動するための回路が予め形成されていてもよい。例えば、基板１２には、たとえばＴＦＴ（Thin Film Transistor）やキャパシタなどが予め形成されていてもよい。
【００３１】
電極Ｅ１は、複数の透明電極部１４と、配線部１６とを有する。図１に示した形態では、電極Ｅ１は、基板１２上の一部の領域に、平面視形状（電極付き基板１０の厚さ方向から見た形状）が矩形であるように形成されているが、例えば、基板１２の表面全体に形成されていてもよい。電極Ｅ１の平面視形状は矩形に限定されず、正方形を含む四角形若しくは他の多角形でもよいし、又は円形若しくは楕円形でもよい。
【００３２】
複数の透明電極部１４は、図１に示したように、基板１２上の電極Ｅ１の形成領域内に離散的に設けられている。透明電極部１４の平面視形状は、例えば、図１に示したように六角形であるが、他の多角形（例えば、矩形又は正方形といった四角形）でもよい。透明電極部１４の平面視形状は円形又は楕円形でもよい。
【００３３】
透明電極部１４は、電極Ｅ１において上記所定の透光性を有する部分である。図２に示した透明電極部１４の厚さｄ１（電極付き基板１０の厚さ方向の長さ）の例は、５ｎｍ以上１０００ｎｍ以下であり、好ましくは、１５ｎｍ以上２００ｎｍ以下であり、より好ましくは、２０ｎｍ以上１５０ｎｍ以下である。
【００３４】
透明電極部１４の材料は、金属ナノ構造体を含む材料である。金属ナノ構造体としては、金属ナノワイヤ及び金属ナノ粒子が挙げられる。金属ナノワイヤは、例えば、直径がナノメートルスケール（１〜数１００ナノメートル）であり、長さが５μｍ以上１００μｍ以下であるワイヤである。金属ナノ粒子とは、粒子径がナノメートルオーダー（例えば、５ｎｍ以上２００ｎｍ以下）の金属粒子である。金属ナノ構造体を構成する金属の例は、金及び銀である。金属ナノ構造体の具体的な例は、銀ナノワイヤ及び金ナノワイヤである。金属ナノ構造体の他の例としては、金属ナノロット及び金属ナノクラスターが挙げられる。
【００３５】
図１及び図２に示すように、配線部１６は、基板１２上に設けられ複数の透明電極部１４に接続されている。具体的には、配線部１６は、透明電極部１４の縁に一体的に設けられている。換言すれば、配線部１６は、複数の区画１６ａを画成する所定パターンを有しており、各区画１６ａに透明電極部１４が設けられている。所定パターンの例は格子状（或いはネットワーク状）である。区画１６ａの平面視形状の例は、透明電極部１４の平面視形状の例と同じである。図１に示したように、配線部１６の所定パターンが格子状である形態では、配線部１６が有する網目の領域に透明電極部１４が設けられている。配線部１６を一つの層とみなした場合、区画１６ａは、厚さ方向に貫通した開口部（又は窓部）である。この場合、電極Ｅ１は、区画１６ａである開口部の基板１２側の端部が透明電極部１４で塞がれた構成に対応する。図１では配線部１６が有する格子状に設けられているが、配線部１６はストライプ状に、すなわち、ライン状の配線部１６が互いに平行に配置されているように設けられてもよい。
【００３６】
上記のように、配線部１６が、複数の区画１６ａを画成する所定パターンを有する観点から、図２は、隣接する区画１６ａの中心（電極付き基板１０を厚さ方向から見た場合の中心）Ｃを含む平面で電極Ｅ１及び基板１２（すなわち、電極付き基板１０）を切断した場合の図面に対応している。
【００３７】
上記構成では、配線部１６は、隣接する透明電極部１４を連結しており、これにより、複数の透明電極部１４は配線部１６を介して電気的に接続されている。換言すれば、隣接する透明電極部１４の間には配線部１６が配置されている。
【００３８】
配線部１６は、電極Ｅ１において透明電極部１４に電力を供給する機能を有する。図２に示した配線部１６の厚さｄ２は透明電極部１４の厚さｄ１より大きく、例えば、透明電極部１４の厚さｄ１の２倍以上であり、２０００ｎｍ以下である。なお、配線部１６の厚さｄ２は、透明電極部１４の厚さｄ１の２０倍以下であることが好ましい。
【００３９】
配線部１６の幅ｗの例は０．５ｍｍ以上である。幅ｗの上限は電極Ｅ１の大きさ及び電極付き基板１０の用途に応じて設定されていればよい。幅ｗは、例えば、１０ｍｍ以下であり得る。幅ｗは、好ましくは、０．８ｍｍ〜５ｍｍであり、より好ましくは、１ｍｍ〜３ｍｍである。配線部１６の幅ｗは、隣接する区画１６ａの中心Ｃ（図１参照）を含む平面で電極Ｅ１を切断した場合の断面に現れる配線部１６の幅であり、配線部１６の基板１２と反対側の面（図２において上面）の幅である。前述したように、配線部１６は、透明電極部１４の縁部に沿って設けられている。よって、配線部１６の幅ｗは、透明電極部１４の縁部に沿って延在する配線部１６の延在方向に直交する断面の幅でもあり得る。例えば、透明電極部１４の平面視形状が六角形といった多角形である場合、配線部１６のうち透明電極部１４の一辺に沿った部分において、その延在方向に直交する断面での幅である。以下、配線部１６の幅ｗを規定する方向（隣接する区画１６ａの中心Ｃを結ぶ仮想線の延在方向）を配線部１６の幅方向とも称する場合もある。
【００４０】
また、隣接する区画１６ａの中心Ｃを含む平面で電極Ｅ１を切断した場合の断面において、隣接する配線部１６間の距離Ｄの例は５ｍｍ以上である。距離Ｄの上限は電極Ｅ１の大きさ及び電極付き基板１０の用途に応じて設定されていればよい。例えば、距離Ｄは１００ｍｍ以下であり得る。距離Ｄは、好ましくは、１０ｍｍ〜６０ｍｍであり、より好ましくは、３０ｍｍ〜５０ｍｍである。上記電極Ｅ１の断面における隣接する配線部１６とは、断面において区画１６ａの両側に現れる配線部１６（より具体的には、配線部１６の一部）を意味している。距離Ｄは、図２に示したように、配線部１６の幅方向における中心間の距離である。
【００４１】
配線部１６の材料は、透明電極部１４の材料と同じである。配線部１６の幅の例は、５００μｍ以上２００００μｍ以下であり、この場合、配線部１６は、金属ナノ構造体を含む細線である。
【００４２】
電極付き基板１０において、配線部１６の表面抵抗値をＲ１（Ω／□）とし、透明電極部１４の表面抵抗値をＲ２（Ω／□）としたとき、（Ｒ１／Ｒ２）は、
０＜（Ｒ１／Ｒ２）≦０．５・・・（１）
を満たす。配線部１６の材料は透明電極部１４と同じであることから、上記（Ｒ１／Ｒ２）の関係は、透明電極部１４及び配線部１６の厚さｄ１，ｄ２を調整することで実現され得る。配線部１６の厚さｄ２が、透明電極部１４の厚さｄ１の２倍以上であり、２０００ｎｍ以下であれば、上記関係を満たし得る。
【００４３】
上記構成の電極付き基板１０は、金属ナノ構造を含む材料から構成される金属膜を、基板１２上に有した構成であって、金属膜が、配線部１６のパターンに対応した厚膜部分と、透明電極部１４のパターンに対応した薄膜部分とを有する構成に対応する。この場合、上記金属膜全体が電極Ｅ１に相当する。或いは、上記構成の電極付き基板１０は、金属ナノ構造を含む材料から構成される金属膜を、基板１２上に有した構成であって、上記金属膜に複数の凹部が２次元的に配置された構成でもある。この場合、凹部が区画に対応し、凹部の底壁部が透明電極部１４に対応し、金属膜のうち凹部以外の領域が配線部１６に対応する。
【００４４】
次に、電極付き基板１０の製造方法の一例を説明する。電極付き基板１０は、塗布法により製造され、塗布工程と、乾燥工程とを有する。
【００４５】
＜塗布工程＞
塗布工程では、図３に示したように、透明電極部１４（或いは配線部１６）の材料を含む塗布液Ｌ、すなわち、金属ナノ構造体を含む塗布液Ｌを、インクジェット印刷法で基板１２に塗布し、基板１２に塗布膜１８を形成する。具体的には、基板１２を搬送しながら、インクジェット装置２０が有しており基板１２の搬送方向に直交する方向に配置された複数のノズル（不図示）から塗布液Ｌを基板１２に塗布して塗布膜１８を形成する。図３では、インクジェット装置２０を通過前においては、塗布液が塗布されるべきパターンを模式的に示している。
【００４６】
インクジェット装置２０から塗布する塗布液Ｌは、金属ナノ構造体を含む固形物が溶媒に溶解されたものである。上記溶媒は、上記固形物が溶解できればよいが、溶媒としては、例えば、ジエチレングリコールエチルメチルエーテル、プロピレングリコール 1-モノメチルエーテル 2-アセテート、３−メトキシブチルアセテート、3-メトキシ-1-ブタノール、シクロヘキサノンが挙げられる。
【００４７】
インクジェット装置２０から塗布液Ｌを塗布する際には、基板１２上における透明電極部１４の配置パターンである透明電極部用パターンＰ１及び配線部１６の配置パターンである配線部用パターンＰ２で塗布液Ｌを塗布する。これは、インクジェット装置２０が有する複数のノズルから塗布液Ｌの吐出状態を制御して実施する。
【００４８】
透明電極部用パターンＰ１は、配線部用パターンＰ２に接続されている。具体的には、配線部用パターンＰ２は、透明電極部用パターンＰ１の縁に沿ったパターン形状を有する。なお、図１に示した電極付き基板１０は、複数の透明電極部１４を備えるため、インクジェット装置２０はそれに応じて複数の透明電極部用パターンＰ１を形成するように塗布液Ｌを基板１２に塗布する。よって、塗布膜１８は、複数の透明電極部用パターンＰ１で塗布液Ｌが塗布されてなる複数の第１塗布膜領域１８ａと、配線部用パターンＰ２で塗布液Ｌが塗布されてなる第２塗布膜領域１８ｂとを有する。
【００４９】
上記配線部用パターンＰ２は、配線部１６が有する所定パターンに対応するパターンである。したがって、配線部用パターンＰ２を有する第２塗布膜領域１８ｂは、区画１６ａに対応する区画１８ｃを画成している。透明電極部１４は、上記区画１６ａに配置されていることから、透明電極部用パターンＰ１は区画１８ｃに対応するパターンである。よって、区画１８ｃに対応する領域に塗布される塗布液が透明電極部１４を形成するための塗布液である。
【００５０】
塗布工程では、乾燥工程を経て形成される透明電極部１４が可視光（波長４００ｎｍ〜８００ｎｍの光）に対して透光性を有する厚さになるように第１塗布膜領域１８ａを形成し、第２塗布膜領域１８ｂが第１塗布膜領域１８ａより厚くなるように第２塗布膜領域１８ｂを形成する。このような厚さの制御の例としては、ノズルからの塗布液Ｌの吐出量又は吐出回数を制御すること、及び、塗布液Ｌの粘度を調整することが挙げられる。
【００５１】
したがって、塗布工程では、塗布液Ｌを塗布することで、配線部１６に対応した厚膜部分と、透明電極部１４に対応した薄膜部分とを有する塗布膜１８が形成されることになる。この塗布膜１８は、電極Ｅ１になるべき塗布膜である。
【００５２】
＜乾燥工程＞
乾燥工程では、塗布工程で形成された塗布膜１８を乾燥させ溶媒を除去する。これにより、塗布膜１８において、第１塗布膜領域１８ａから透明電極部１４が得られると共に、第２塗布膜領域１８ｂから配線部１６が得られ、その結果、電極Ｅ１が得られる。乾燥工程における乾燥方法（或いは加熱方法）は限定されないが、例えば、オーブンによる加熱及びホットプレートによる加熱が挙げられる。
【００５３】
電極付き基板１０の製造方法では、配線部１６の表面抵抗値であるＲ１（Ω／□）及び透明電極部１４の表面抵抗値であるＲ２が上記式（１）を満たすように、製造条件を調整する。透明電極部１４及び配線部１６は、同じ材料を含む塗布液Ｌから構成されているため、表面抵抗値は透明電極部１４及び配線部１６の厚さｄ１，ｄ２に依存する。よって、Ｒ１及びＲ２が式（１）を満たすためには、透明電極部１４及び配線部１６の厚さｄ１，ｄ２（図２参照）を制御すればよい。
【００５４】
透明電極部１４及び配線部１６の厚さｄ１，ｄ２を所望の厚さにするために、第１塗布膜領域１８ａ及び第２塗布膜領域１８ｂの厚さ及び乾燥工程での乾燥速度の少なくとも一方を制御すればよい。第１塗布膜領域１８ａ及び第２塗布膜領域１８ｂの厚さを制御するための方法としては、塗布液Ｌのインクジェット装置２０からの吐出量（同じ位置での吐出回数も含む）及び塗布液Ｌの粘度等を調整することが挙げられる。
【００５５】
具体的には、透明電極部用パターンＰ１に塗布液Ｌを塗布する際に比べて配線部用パターンＰ２で塗布液Ｌを塗布する際に吐出量を多くすればよい。また、塗布液Ｌの粘度が低いと、塗布液Ｌが基板１２に着弾した後に広がり易く、粘度が高いと、塗布液Ｌが基板１２に着弾した後に広がり難い。よって、吐出量に応じた厚さを維持可能な程度に塗布液Ｌの粘度を調整すればよい。また、基板１２に着弾した塗布液Ｌは時間と共に広がっていくので、例えば、吐出量に応じた厚さを維持可能な乾燥時間で塗布膜１８を乾燥させればよい。
【００５６】
配線部１６の幅ｗを例示したように０．５ｍｍ以上とする場合、幅ｗに対応する第２塗布膜領域１８ｂの幅ｗｃ（図３参照）が０．５ｍｍ以上となるように、塗布液を塗布すればよい。具体的には、複数の区画１８ｃのうち隣接する区画１８ｃの中心Ｃｃを含む平面で第２塗布膜領域１８ｂを切断した場合の断面において、第２塗布膜領域１８ｂの幅ｗｃが０．５ｍｍ以上であるように、塗布液Ｌを基板１２上に塗布すればよい。隣接する配線部１６間の距離Ｄを例示したよう５ｍｍ以上とする場合も同様である。すなわち、複数の区画１８ｃのうち隣接する区画１８ｃの中心Ｃｃを含む平面で第２塗布膜領域１８ｂを切断した場合の断面において、その断面に現れる隣接する第２塗布膜領域１８ｂの間の距離Ｄｃ（図３参照）が５ｍｍ以上であるように、塗布液Ｌを基板１２上に塗布すればよい。なお、第２塗布膜領域１８ｂの断面における隣接する第２塗布膜領域１８ｂとは、電極Ｅ１の断面における隣接する配線部１６の場合と同様に、第２塗布膜領域１８ｂの断面に現れる２つの第２塗布膜領域１８ｂを意味している。
【００５７】
上記電極付き基板１０では、電極Ｅ１が、互いに接続された透明電極部１４と配線部１６とを有するため、配線部１６を介して透明電極部１４に電力を供給できる。透明電極部１４と配線部１６とが同じ材料で構成されていることから、透明電極部１４と配線部１６との密着性が向上している。よって、透明電極部１４と配線部１６との接続部において、電力損失が生じにくい。また、透明電極部１４及び配線部１６の材料が同じであることから、配線部１６を介して透明電極部１４に電力を供給しても透明電極部１４と配線部１６と接続部において電蝕が生じにくい。この観点でも、透明電極部１４と配線部１６との接続部において、電力損失が生じにくい。よって、電極Ｅ１に電力を供給しても、電極Ｅ１内での電力損失を低減しながら、透明電極部１４に電力を供給できる。
【００５８】
透明電極部１４が、例示したような所定の透光性を有するためには、透明電極部１４の厚さは薄い必要があり、透明電極部１４の厚さｄ１の例は、前述したように、５ｎｍ〜１０００ｎｍである。透明電極部１４が上記厚さを有する場合、透明電極部１４は透光性は有するが、その表面抵抗値は大きくなる傾向にある。
【００５９】
よって、仮に、配線部１６を設けずに、電極Ｅ１を薄い透明電極部のみから構成した透明電極とした場合、その透明電極に電力を供給すると、電圧降下の影響で透明電極全体に一様に電力を供給できない。
【００６０】
これに対して、電極付き基板１０の構成では、配線部１６を介して複数の透明電極部１４のそれぞれに電力を供給する。そして、配線部１６の表面抵抗値は、透明電極部１４の表面抵抗値より小さいことから、格子状（或いはネットワーク状）に形成された配線部１６を介して電力を各透明電極部１４に供給することで、前述した電圧降下の影響を低減しながら、配線部１６に接続された各透明電極部１４に電力を供給できる。更に、複数の透明電極部１４は、格子状に形成された配線部１６における網目の部分に設けられているので、例えば、電極Ｅ１を実質的に透明電極部のみから構成している場合より各透明電極部１４の大きさを小さくできる。よって、透明電極部１４の厚さｄ１が薄く表面抵抗値が大きくても、透明電極部１４内での電圧降下の影響は小さい。したがって、電極付き基板１０では、透光性を確保しながら透明電極部１４に電力をより均一に供給可能である。
【００６１】
配線部１６の表面抵抗値であるＲ１及び透明電極部１４の表面抵抗値であるＲ２が式（１）の関係を満たせば、配線部１６内での電力損失を低減しながら、透明電極部１４に電力を供給できる。式（１）の関係は、例えば、配線部１６の厚さｄ２を透明電極部１４の２倍以上とすることで実現可能である。
【００６２】
配線部１６及び透明電極部１４が同じ材料で構成されているため、電極付き基板の製造方法で説明したように、塗布法を利用して電極付き基板１０を製造できる。この場合、透明電極部１４及び配線部１６を一体的に形成できる。したがって、電極付き基板１０が容易である。また、例えば、配線部１６及び透明電極部１４が別々の材料からなり、一方を形成した後に、他方を形成するように２段階に分けて製造する場合より、電極付き基板１０の製造効率の向上が図れる。
【００６３】
電極付き基板１０の製造に、図３に示したように、インクジェット印刷法を利用すれば、塗布液Ｌの種々のパターンに対応し易いと共に、厚さの制御も容易である。よって、電極付き基板１０の製造効率の向上が図れる。配線部１６の厚さｄ２が、２０００ｎｍ以下であれば、インクジェット印刷法が有効である。
【００６４】
上記のように、インクジェット印刷法を利用して同一面内に厚さの厚い部分（第２塗布膜領域１８ｂ）と薄い部分（第１塗布膜領域１８ａ）を同時に形成すると、塗布液の塗布直後には、厚さの厚い部分から薄い部分に液の流動が生じる場合がある。配線部１６の幅ｗが０．５ｍｍ以上となるように、第２塗布膜領域１８ｂを形成すれば、塗布液の塗布直後に第２塗布膜領域１８ｂから第１塗布膜領域１８ａに塗布液が流動しても、所望の形状を維持した配線部１６をより確実に形成し得る。したがって、配線部１６の幅ｗが０．５ｍｍ以上である電極付き基板１０は、インクジェット印刷法による製造に適している。
【００６５】
また、図２に示した距離Ｄを５ｍｍ以上となるように、第２塗布膜領域１８ｂを形成すれば、複数の区画１８ｃのうち隣接する区画１８ｃの中心Ｃｃを含む平面で第２塗布膜領域１８ｂを切断した場合の断面において、隣接する第２塗布膜領域１８ｂが合一することが抑制されるため、第１塗布膜領域１８ａの厚さを所望の厚さに制御し易い。すなわち、透明電極として機能する厚さ或いは表面抵抗値を有する透明電極部１４をより確実に形成できる。したがって、配線部１６の幅ｗが０．５ｍｍ以上である電極付き基板１０は、インクジェット印刷法による製造に適している。
【００６６】
幅ｗ及び距離Ｄに対してそれぞれ上記作用効果を有することから、幅ｗが０．５ｍｍ以上であり、距離Ｄが５ｍｍ以上である電極付き基板１０は、インクジェット印刷法を利用して配線部１６及び透明電極部１４を形成する場合に、より一層有効な構成と言える。
【００６７】
（第２の実施形態）
図４は、一実施形態に係る有機ＥＬデバイスの一例の概略構成を示す図面である。有機ＥＬデバイス２２は、電極付き基板１０と、発光層２４と、対向電極Ｅ２とを備える。電極付き基板１０が有する電極Ｅ１と、発光層２４と、対向電極Ｅ２とは、有機ＥＬ素子２６を構成している。有機ＥＬ素子２６において、断らない限り、電極Ｅ１は陽極として機能し、対向電極Ｅ２は陰極として機能する。有機ＥＬデバイス２２は、基板１２側から光を出射するボトムエミッション型のデバイスである。電極付き基板１０については、第１の実施形態と同様の構成であるため、説明を省略する。
【００６８】
発光層２４は、電極付き基板１０上に設けられる。具体的には、電極付き基板１０上において、電極Ｅ１上に設けられる。発光層２４には、所定の波長の光を発光する機能を有する有機薄膜を用いることができる。発光層２４は、通常、主として蛍光及び／又はりん光を発光する有機物、または該有機物とこれを補助するドーパントとから形成される。ドーパントは、例えば発光効率の向上や、発光波長を変化させるために加えられる。発光層２４に含まれる有機物は、低分子化合物でも高分子化合物でもよい。発光層２４を構成する有機発光材料としては、例えば公知の色素系材料、金属錯体系材料、高分子系材料、ドーパント材料を挙げることができる。発光層２４の厚さの例は３０〜２００ｎｍである。
【００６９】
対向電極Ｅ２は、発光層２４上に設けられる。陰極である対向電極Ｅ２の材料としては、仕事関数が小さく、発光層２４への電子注入が容易で、電気伝導度の高い材料が好ましい。また、有機ＥＬデバイス２２は電極付き基板１０側から光を取り出すため、発光層２４から放射される光を対向電極Ｅ２で電極付き基板１０側に反射するために、対向電極Ｅ２の材料としては可視光反射率の高い材料が好ましい。対向電極Ｅ２には、例えばアルカリ金属、アルカリ土類金属、遷移金属および周期表の１３族金属などを用いることができる。対向電極Ｅ２としては導電性金属酸化物および導電性有機物などから成る透明導電性電極を用いることができる。対向電極Ｅ２の厚さの例は、１００ｎｍ〜２５０ｎｍである。
【００７０】
次に、有機ＥＬデバイス２２は、第１の実施形態で説明した電極付き基板１０上に、発光層２４及び対向電極Ｅ２を順次形成することで製造され得る。発光層２４及び対向電極Ｅ２は、例えば、塗布法により形成される。この場合、発光層２４及び対向電極Ｅ２の材料を溶解した塗布液を、電極付き基板１０上に塗布して乾燥させることで、発光層２４及び対向電極Ｅ２を製造できる。
【００７１】
塗布液に使用する溶媒は、発光層２４及び対向電極Ｅ２の材料を溶解可能なものであればよいが、例えば、ジエチレングリコールエチルメチルエーテル、プロピレングリコール 1-モノメチルエーテル 2-アセテート、３−メトキシブチルアセテート、3-メトキシ-1-ブタノール、シクロヘキサノンが挙げられる。
【００７２】
塗布法としては、例えば、スピンコート法、キャスティング法、マイクログラビアコート法、グラビアコート法、バーコート法、ロールコート法、ワイアーバーコート法、ディップコート法、スリットコート法、キャピラリーコート法、スプレーコート法およびノズルコート法などのコート法、並びにグラビア印刷法、スクリーン印刷法、フレキソ印刷法、オフセット印刷法、反転印刷法及びインクジェット印刷法等の印刷法を挙げることができる。発光層２４及び対向電極Ｅ２の形成方法は、塗布法に限定されない。例えば蒸着法を利用してもよい。
【００７３】
有機ＥＬデバイス２２は、第１の実施形態で説明した電極付き基板１０を備えることから、少なくとも第１の実施形態と同様の作用効果を奏する。よって、有機ＥＬデバイス２２を駆動するために、電極付き基板１０が備える電極Ｅ１に電力を供給した際、電極Ｅ１内での電力損失を低減できる。その結果、電力を有効に利用して有機ＥＬデバイス２２を駆動可能である。また、透明電極部１４と配線部１６との接続部において電蝕が生じないので、有機ＥＬデバイス２２を安定して駆動できる。
【００７４】
電極付き基板１０を利用していることから、複数の透明電極部１４に電力を均一に供給できる。その結果、発光層２４において各透明電極部１４に対応する領域においても電力が均一に供給されるので、輝度の均一性を図れる。
【００７５】
また、電極付き基板１０では、格子状に張り巡らされた配線部１６の間（網目部分）に透明電極部１４が設けられていることから、配線部１６を設けていても、発光層２４で生じた光は、透明電極部１４を介して基板１２側から取り出し得る。
【００７６】
以上、図４に示した有機ＥＬデバイス２２について説明したが、有機ＥＬデバイス２２（具体的には、有機ＥＬ素子）が有する陽極と陰極との間には発光層に加えて他の有機層が設けられてもよい。以下、具体的に説明する。
【００７７】
陰極と発光層の間に設けられる層としては、例えば、電子注入層、電子輸送層、正孔ブロック層を挙げることができる。陰極と発光層の間に電子注入層と電子輸送層との両方の層が設けられる場合、陰極に接する層を電子注入層といい、この電子注入層を除く層を電子輸送層という。
【００７８】
電子注入層は、陰極からの電子注入効率を改善する機能を有する層である。電子輸送層は、陰極、電子注入層または陰極により近い電子輸送層からの電子注入を改善する機能を有する層である。正孔ブロック層は、正孔の輸送を堰き止める機能を有する層である。電子注入層および／または電子輸送層が正孔の輸送を堰き止める機能を有する場合には、これらの層が正孔ブロック層を兼ねることがある。正孔ブロック層が正孔の輸送を堰き止める機能を有することは、例えば正孔電流のみを流す有機ＥＬ素子を作製し、その電流値の減少で堰き止める効果を確認することができる。
【００７９】
陽極と発光層の間に設けられる層としては、例えば、正孔注入層、正孔輸送層、電子ブロック層を挙げることができる。陽極に接する層を正孔注入層という。
【００８０】
正孔注入層は、陽極からの正孔注入効率を改善する機能を有する層である。正孔輸送層は、陽極、正孔注入層または陽極により近い正孔輸送層からの正孔注入を改善する機能を有する層である。電子ブロック層は、電子の輸送を堰き止める機能を有する層である。正孔注入層および／または正孔輸送層が電子の輸送を堰き止める機能を有する場合には、これらの層が電子ブロック層を兼ねることがある。電子ブロック層が電子の輸送を堰き止める機能を有することは、例えば電子電流のみを流す有機ＥＬ素子を作製し、測定された電流値の減少で電子の輸送を堰き止める効果を確認することができる。
【００８１】
上述した各種の有機層を含む有機ＥＬ素子の層構成の例を以下に示す。
ａ）陽極／発光層／陰極
ｂ）陽極／正孔注入層／発光層／陰極
ｃ）陽極／正孔注入層／発光層／電子注入層／陰極
ｄ）陽極／正孔注入層／発光層／電子輸送層／電子注入層／陰極
ｅ）陽極／正孔注入層／正孔輸送層／発光層／陰極
ｆ）陽極／正孔注入層／正孔輸送層／発光層／電子注入層／陰極
ｇ）陽極／正孔注入層／正孔輸送層／発光層／電子輸送層／電子注入層／陰極
ｈ）陽極／発光層／電子注入層／陰極
ｉ）陽極／発光層／電子輸送層／電子注入層／陰極
【００８２】
記号「／」は、記号「／」の両側の層同士が接合していることを意味している。上記ａ）の構成が図４に示した構成に対応する。
【００８３】
正孔注入層、正孔輸送層、電子輸送層及び電子注入層のそれぞれの材料については、公知の材料を用いることができる。正孔注入層、正孔輸送層、電子輸送層及び電子注入層のそれぞれは、例えば、発光層と同様に塗布法で形成し得る。
【００８４】
有機ＥＬ素子は単層の発光層を有していても、２層以上の発光層を有していてもよい。上記ａ）〜ｉ）の層構成のうちのいずれか１つにおいて、陽極と陰極との間に配置された積層構造を「構造単位Ａ」とすると、例えば、２層の発光層を有する有機ＥＬ素子の構成として、下記ｊ）に示す層構成を挙げることができる。２個ある（構造単位Ａ）の層構成は互いに同じであっても、異なっていてもよい。
ｊ）陽極／（構造単位Ａ）／電荷発生層／（構造単位Ａ）／陰極
【００８５】
ここで電荷発生層とは、電界を印加することにより、正孔と電子とを発生する層である。電荷発生層としては、例えば酸化バナジウム、インジウムスズ酸化物（Ｉｎｄｉｕｍ  Ｔｉｎ  Ｏｘｉｄｅ：略称ＩＴＯ）、酸化モリブデンなどからなる薄膜を挙げることができる。
【００８６】
「（構造単位Ａ）／電荷発生層」を「構造単位Ｂ」とすると、例えば、３層以上の発光層を有する有機ＥＬ素子の構成として、以下のｋ）に示す層構成を挙げることができる。
ｋ）陽極／（構造単位Ｂ）ｘ／（構造単位Ａ）／陰極
【００８７】
第２の実施形態において記号「ｘ」は、２以上の整数を表し、「（構造単位Ｂ）ｘ」は、（構造単位Ｂ）がｘ段積層された積層体を表す。また、複数ある（構造単位Ｂ）の層構成は同じでも、異なっていてもよい。
【００８８】
電荷発生層を設けずに、複数の発光層を直接的に積層させて有機ＥＬ素子を構成してもよい。
【００８９】
基板(図１に示した基板１２に相当する部材)上に形成される層の順序、層の数、および各層の厚さについては、発光効率、寿命を勘案して適宜設定することができる。有機ＥＬ素子は、通常、陽極を基板側に配置して基板上に設けられるが、陰極を基板側に配置して基板上に有機ＥＬ素子を設けてもよい。例えばａ）〜ｋ）の各有機ＥＬ素子を基板上に作製する場合、陽極を基板側に配置する形態では陽極側（各構成ａ〜ｋの左側）から順に各層を基板上に積層し、陰極を基板側に配置する形態では陰極（各構成ａ〜ｋの右側）から順に各層を基板上に積層する。なお、陰極を基板側に配置する構成では、電極付き基板１０が有する電極Ｅ１は、陰極として機能し、対向電極Ｅ２が陽極として機能する。
【００９０】
以上、本発明に係る種々の実施形態について説明したが、本発明は例示した種々の実施形態に限定されず、本発明の趣旨を逸脱しない範囲で種々の変形が可能である。
【００９１】
電極付き基板が備える透明電極部１４及び配線部１６は、それらが同じ材料から構成されており、透明電極部１４が少なくとも例示した波長範囲で透光性を有すればよい。よって、それらの表面抵抗値及び厚さなどは、例示したものに限定されない。
【００９２】
図１では、複数の透明電極部１４を示していたが、例えば、電極付き基板は、一つの透明電極部１４を備えていればよい。
【００９３】
上述した実施形態では、電極付き基板を製造する際、第１塗布膜領域１８ａ及び第２塗布膜領域１８ｂの形成に同じ塗布液Ｌを使用したが、第１塗布膜領域１８ａ及び第２塗布膜領域１８ｂを形成する塗布液Ｌは同じ材料を含んでいれば、その組成比率及び粘度などは異なっていてもよい。この場合、インクジェット装置は、第１塗布膜領域１８ａを形成するための第１塗布液及び第２塗布膜領域１８ｂを形成するための第２塗布液をそれぞれ塗布するノズルを備えていればよい。このような形態では、例えば、第１塗布液及び第２塗布液の固形分の組成比率を調整することでも、透明電極部１４及び配線部１６の厚さ及び表面抵抗値を制御可能である。
【００９４】
電極付き基板をインクジェット印刷法で製造する例を示したが、電極付き基板は、塗布法で製造されていればよく、塗布液Ｌの塗布方法はインクジェット印刷法に限定されない。
【符号の説明】
【００９５】
１０…電極付き基板、１２…基板、１４…透明電極部、１６…配線部、１６ａ…区画、２２…有機ＥＬデバイス、２４…発光層、Ｅ１…電極、Ｅ２…対向電極、ｗ…配線部の幅、Ｄ…隣接する配線部の距離。
【図１】
0006553471.tif 000002
【図２】
0006553471.tif 000003
【図３】
0006553471.tif 000004
【図４】
0006553471.tif 000005